(57)【要約】  複数の情報記録層を有する情報記録媒体であって、前記各情報記録層は、それぞれ最適の記録条件を得るためのＯＰＣ領域を備え、前記各情報記録層で各ＯＰＣ領域は、光が入射される方向から奇数番目の情報記録層のＯＰＣ領域とこれに隣接する偶数番目の情報記録層のＯＰＣ領域とが接しないように交互に配置されるか、または部分的に重畳され、重畳された部分の使用を制限するように配置される。これにより、多層の情報記録層を有する情報記録媒体において、各情報記録層のＯＰＣ領域が相互接しないように交互に配置されることによって、各ＯＰＣ領域で最適のパワー制御を行うとき、他の情報記録層にＯＰＣによる影響が及ぼさない。
2007521607.tif 000002
【特許請求の範囲】
【請求項１】
複数個の情報記録層を有する情報記録媒体であって、
前記各情報記録層は、それぞれ最適の記録条件を得るためのＯＰＣ領域を含み、奇数番目の情報記録層のＯＰＣ領域とこれに隣接する偶数番目の情報記録層にあるＯＰＣ領域とが異なる半径範囲内に位置し、前記情報記録層のＯＰＣ領域に隣接して保留領域が位置することを特徴とする情報記録媒体。
【請求項２】
前記情報記録層のＯＰＣ領域に隣接し、前記情報記録媒体で同じ半径範囲に位置し、前記ＯＰＣ領域の情報を保存するマップ領域をさらに備えることを特徴とする請求項１に記載の情報記録媒体。
【請求項３】
リードイン領域でディスク関連情報を記録する領域に記録される前記情報記録層のＯＰＣ領域の情報をさらに含むことを特徴とする請求項１に記載の情報記録媒体。
【請求項４】
前記奇数番目の情報記録層のＯＰＣ領域とこれに隣接する偶数番目の情報記録層のＯＰＣ領域との使用順序が相互同じ方向であることを特徴とする請求項１に記載の情報記録媒体。
【請求項５】
前記奇数番目の情報記録層のＯＰＣ領域とこれに隣接する偶数番目の情報記録層のＯＰＣ領域との使用順序が相互逆方向であることを特徴とする請求項１に記載の情報記録媒体。
【請求項６】
前記奇数番目の情報記録層のＯＰＣ領域と前記偶数番目の情報記録層のＯＰＣ領域との各使用順序は、各情報記録層のトラック螺旋方向と同一かまたは逆であることを特徴とする請求項４に記載の情報記録媒体。
【請求項７】
前記奇数番目の情報記録層のＯＰＣ領域と前記偶数番目の情報記録層のＯＰＣ領域との各使用順序は、各情報記録層のトラック螺旋方向と同一かまたは逆であることを特徴とする請求項５に記載の情報記録媒体。
【請求項８】
前記ＯＰＣ領域は、リードイン領域とリードアウト領域のうち少なくとも一つ以上の領域に存在することを特徴とする請求項４に記載の情報記録媒体。
【請求項９】
前記ＯＰＣ領域は、リードイン領域とリードアウト領域のうち少なくとも一つ以上の領域に存在することを特徴とする請求項５に記載の情報記録媒体。
【請求項１０】
複数個の情報記録層を有する情報記録媒体であって、
前記各情報記録層は、それぞれ最適の記録条件を得るためのＯＰＣ領域を含み、前記各情報記録層で各ＯＰＣ領域は、奇数番目の情報記録層のＯＰＣ領域とこれに隣接する偶数番目の情報記録層のＯＰＣ領域が所定部分接しつつ交互に配置されたことを特徴とする情報記録媒体。
【請求項１１】
前記前記情報記録層のＯＰＣ領域に隣接して保留領域が位置することを特徴とする請求項１０に記載の情報記録媒体。
【請求項１２】
前記ＯＰＣ領域のサイズは、前記保留領域のサイズより大きいことを特徴とする請求項１１に記載の情報記録媒体。
【請求項１３】
前記情報記録層のＯＰＣ領域に隣接して前記情報記録媒体で同じ半径範囲に位置し、前記ＯＰＣ領域の情報を保存するマップ領域をさらに備えることを特徴とする請求項１０に記載の情報記録媒体。
【請求項１４】
リードイン領域でディスク関連情報を記録する領域に記録される前記情報記録層のＯＰＣ領域の情報をさらに含むことを特徴とする請求項１０に記載の情報記録媒体。
【請求項１５】
前記奇数番目の情報記録層のＯＰＣ領域とこれに隣接する偶数番目の情報記録層のＯＰＣ領域との使用順序が相互逆方向であることを特徴とする請求項１０に記載の情報記録媒体。
【請求項１６】
各情報記録層の各ＯＰＣ領域で使用可能な領域のサイズは可変されることを特徴とする請求項１０に記載の情報記録媒体。
【請求項１７】
前記ＯＰＣ領域は、リードイン領域とリードアウト領域のうち少なくとも一つ以上の領域に存在することを特徴とする請求項１０に記載の情報記録媒体。
【請求項１８】
複数個の情報記録層を有する情報記録媒体であって、
前記各情報記録層は、それぞれ最適の記録条件を得るためのＯＰＣ領域を含み、前記各情報記録層で各ＯＰＣ領域は、奇数番目の情報記録層のＯＰＣ領域とこれに隣接する偶数番目の情報記録層のＯＰＣ領域とが前記情報記録媒体で同じ半径範囲に位置し、前記奇数番目の情報記録層のＯＰＣ領域とこれに隣接する偶数番目の情報記録層のＯＰＣ領域との使用順序が相互逆であることを特徴とする情報記録媒体。
【請求項１９】
各情報記録層の各ＯＰＣ領域で使用可能な領域のサイズは可変されることを特徴とする請求項１８に記載の情報記録媒体。
【請求項２０】
前記情報記録層のＯＰＣ領域の情報は、リードイン領域でディスク関連情報を記録する領域に記録されることを特徴とする請求項１８に記載の情報記録媒体。
【請求項２１】
前記ＯＰＣ領域は、リードイン領域とリードアウト領域のうち少なくとも一つ以上の領域に存在することを特徴とする請求項１８に記載の情報記録媒体。
【請求項２２】
第１  ＯＰＣ領域と前記第１  ＯＰＣ領域に隣接した第１予備領域とを備える第１情報記録層と、
前記第１情報記録層に隣接し、第２  ＯＰＣ領域と前記第２  ＯＰＣ領域に隣接した第２予備領域とを含む第２情報記録層と、を備え、
前記第１  ＯＰＣ領域は、その半径が前記第２予備領域及び第２  ＯＰＣ領域と部分的に重畳され、前記第２  ＯＰＣ領域は、その半径が前記第１予備領域及び第１  ＯＰＣ領域と部分的に重畳されることを特徴とする多層情報記録媒体。
【請求項２３】
前記第１及び第２  ＯＰＣ領域のサイズは、前記第１及び第２予備領域より大きいことを特徴とする請求項２２に記載の多層情報記録媒体。
【請求項２４】
前記第１及び第２  ＯＰＣ領域は、相互逆方向に記録されることを特徴とする請求項２２に記載の多層情報記録媒体。
【請求項２５】
前記第１  ＯＰＣ領域で記録される部分に対する第１アドレスと前記第２
ＯＰＣ領域で記録される部分に対する第２アドレスとは、前記情報記録媒体に記録されることを特徴とする請求項２２に記載の多層情報記録媒体。
【請求項２６】
前記第１及び第２  ＯＰＣ領域で部分的に重畳される部分は、最適のパワー記録制御過程中に記録されないように制御されることを特徴とする請求項２５に記載の多層情報記録媒体。
【請求項２７】
前記第１及び第２アドレスは、前記情報記録媒体のリードイン領域に保存されることを特徴とする請求項２５に記載の多層情報記録媒体。
【請求項２８】
前記第１及び第２アドレスは、ビットマップ形式で記録されることを特徴とする請求項２７に記載の多層情報記録媒体。
【請求項２９】
前記第１及び第２アドレスは、前記情報記録媒体のリードアウト領域に保存されることを特徴とする請求項２５に記載の多層情報記録媒体。
【請求項３０】
前記第１情報記録層に第１  ＤＭＡ領域、前記第２情報記録層に第２  ＤＭＡ領域をさらに備え、前記第１及び第２  ＤＭＡ領域は、前記情報記録媒体で同じ半径内に位置し、前記第２  ＤＭＡ領域は、前記第２  ＯＰＣ領域に隣接して位置することを特徴とする請求項２５に記載の多層情報記録媒体。
【請求項３１】
前記第１  ＯＰＣ領域でデータが記録されるセクターのアドレスを保存し、前記第１情報記録層で前記第１  ＯＰＣ領域と第１予備領域との間に位置する第１マップ領域と、
前記第２  ＯＰＣ領域でデータが記録されるセクターのアドレスを保存し、前記第２情報記録層で前記第２  ＯＰＣ領域と第２予備領域との間に位置する第２マップ領域をさらに備え、前記第１及び第２マップ領域は、同一半径内に位置することを特徴とする請求項３０に記載の多層情報記録媒体。
【請求項３２】
前記第１情報記録層に位置する第３  ＯＰＣ領域及び前記第３  ＯＰＣ領域と隣接した第３予備領域と、
前記第２情報記録層に位置する第４  ＯＰＣ領域及び前記第４  ＯＰＣ領域と隣接した第４予備領域と、をさらに備え、前記第３  ＯＰＣ領域は、前記第４  ＯＰＣ領域及び第４予備領域と部分的に重畳され、前記第４  ＯＰＣ領域は、前記第３  ＯＰＣ領域及び第３予備領域と部分的に重畳されることを特徴とする請求項３１に記載の多層情報記録媒体。
【請求項３３】
前記第１及び第２  ＯＰＣ領域と第１及び第２予備領域とは、前記情報記録媒体のリードイン領域に位置し、前記第３及び第４  ＯＰＣ領域と第３及び第４予備領域とは、前記情報記録媒体のリードアウト領域に位置することを特徴とする請求項３２に記載の多層情報記録媒体。
【請求項３４】
前記第１及び第３  ＯＰＣ領域は、前記第２及び第４  ＯＰＣ領域に対して逆方向に記録されることを特徴とする請求項３３に記載の多層情報記録媒体。
【請求項３５】
第１  ＯＰＣ領域と前記第１  ＯＰＣ領域に隣接した第１  ＤＭＡ領域とを備える第１情報記録層と、
前記第１情報記録層に隣接し、第２  ＯＰＣ領域と前記第２  ＯＰＣ領域に隣接した第２  ＤＭＡ領域とを備える第２情報記録層と、を備え、
前記第１及び第２  ＯＰＣ領域は、同一半径内に位置し、前記第１及び第２  ＤＭＡ領域は、同一半径内に位置し、前記第１  ＯＰＣ領域で前記第２  ＯＰＣ領域の使われていない部分に対応する第１領域が使用可能であり、前記第２  ＯＰＣ領域で前記第１  ＯＰＣ領域の使われていない部分に対応する第２領域が使用可能であることを特徴とする多層情報記録媒体。
【請求項３６】
前記第１及び第２  ＯＰＣ領域は、相互逆方向に記録されることを特徴とする請求項３５に記載の多層情報記録媒体。
【請求項３７】
前記第１  ＯＰＣ領域の第１アドレスと前記第２  ＯＰＣ領域の第２アドレスとに相応する可変地点は、前記第１領域の端部と前記第２領域の端部とを表し、前記第１及び第２アドレスは、前記情報記録媒体の半径方向に沿って割当てられることを特徴とする請求項３６に記載の多層情報記録媒体。
【請求項３８】
前記第１及び第２領域のサイズは、前記第１及び第２情報記録層の使用頻度によって可変されることを特徴とする請求項３７に記載の多層情報記録媒体。
【請求項３９】
前記第１情報記録層に位置する第３  ＯＰＣ領域と、
前記第３  ＯＰＣ領域と同一半径内に位置する第４  ＯＰＣ領域と、をさらに備え、
前記第３  ＯＰＣ領域で前記第４  ＯＰＣ領域の使われていない部分に対応する第１領域が使用可能であり、前記第４  ＯＰＣ領域で前記第３  ＯＰＣ領域の使われていない部分に対応する第２領域が使用可能であることを特徴とする請求項３５に記載の多層情報記録媒体。
【請求項４０】
情報記録媒体で第１情報記録層の第１  ＯＰＣ領域と第２情報記録層の第２  ＯＰＣ領域との間の干渉を最小化させるために、
前記第１及び第２  ＯＰＣ領域が前記第１及び第２情報記録層で互に部分的に重畳されるように配置するステップと、
前記第１及び第２  ＯＰＣ領域でデータを相互逆方向に記録して干渉を最小化させるステップとを含むことを特徴とする情報記録媒体の記録方法。
【請求項４１】
前記第１及び第２  ＯＰＣ領域の記録ステップは、
前記第１  ＯＰＣ領域で前記第２  ＯＰＣ領域の使われていない部分に対応する第１領域にデータを記録するステップと、
前記第２  ＯＰＣ領域で前記第１  ＯＰＣ領域の使われていない部分に対応する第２領域にデータを記録するステップとを含むことを特徴とする請求項４０に記載の情報記録媒体の記録方法。
【請求項４２】
情報記録媒体に対してデータを記録及び再生する光ピックアップと、
前記情報記録媒体に対してデータを記録及び再生するように前記光ピックアップを制御し、最適記録パワーを決定する制御部と、を備え、
前記情報記録媒体は、
第１  ＯＰＣ領域と第１制限使用領域とを備える第１情報記録層と、
第２  ＯＰＣ領域と第２制限使用領域とを備える第２情報記録層と、を備え、
前記第１  ＯＰＣ領域は、前記第２  ＯＰＣ領域及び第２制限使用領域と部分的に重畳され、前記第２  ＯＰＣ領域は、前記第１  ＯＰＣ領域及び第１制限使用領域と部分的に重畳され、
前記制御部は、前記第１及び第２  ＯＰＣ領域のうち何れか一つの領域の使われていない部分に対応する他の一つの領域の一部で、前記光ピックアップによって記録あるいは再生されるデータによって前記最適記録パワーを決定することを特徴とする光記録／再生装置。
【請求項４３】
前記第１及び第２  ＯＰＣ領域で、データは、前記制御部によって相互逆方向に記録されることを特徴とする請求項４２に記載の光記録／再生装置。
【発明の詳細な説明】
【技術分野】
【０００１】
本発明は、記録可能な情報記録媒体に係り、さらに詳細には、多層の情報記録層にそれぞれ備えられるＯＰＣ（Ｏｐｔｉｍａｌ  Ｐｏｗｅｒ  Ｃｏｎｔｒｏｌ）での最適のパワー制御を行うとき、他の情報記録層に及ぼす影響を最小化させうる情報記録媒体に関する。
【背景技術】
【０００２】
一般的に、情報記録媒体は、非接触式に情報を記録／再生する光ピックアップ装置の情報記録媒体として広く採用され、情報記録媒体の一種である光ディスクは、情報記録容量によってコンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４.７ＧＢ  ＤＶＤ＋ＲＷがある。さらに、記録容量が２０ＧＢ以上である高密度ＤＶＤ（ＨＤ−ＤＶＤ）も開発されている。
【０００３】
このように、情報記録媒体は、徐々に記録容量が増加する方向に開発されている。記録容量を増加させる方法としては、代表的に、記録光源の波長を短波長化し、対物レンズの開口数を高開口化する方法がある。これ以外に、情報記録層を少なくとも二つ以上の層で構成する方法がある。
【０００４】
図１Ａ及び図１Ｂは、第１情報記録層Ｌ０と第２情報記録層Ｌ１とを有するデュアルレイヤ情報記録媒体を概略的に示す図である。各情報記録層Ｌ０，Ｌ１には、最適の記録パワーを求めるための第１及び第２  ＯＰＣ領域１１１，１２１と欠陥管理のための第１及び第２欠陥管理領域（ＤＭＡ：Ｄｅｆｅｃｔ  Ｍａｎａｇｅｍｅｎｔ  ｏｆ  Ａｒｅａ）１１５，１２５とが備えられる。第１及び第２
ＯＰＣ領域１１１，１２１は、情報記録媒体で相互対向して配置される。すなわち、内周あるいは外周に対して同じ半径内に位置する。
【０００５】
第１及び第２  ＯＰＣ領域１１１，１２１では、最適の記録パワーを探すために色々なサイズの記録パワーでデータを記録する。したがって、最適の記録パワーより高いパワーでデータが記録されてもよい。下記の表１は、第１及び第２情報記録層Ｌ０，Ｌ１のＯＰＣ領域１１１，１２１に記録パワーを異ならしてデータを記録するとき、各情報記録層Ｌ０，Ｌ１でのジッタ特性を測定した結果を示すものである。
【０００６】
【表１】
2007521607.tif 000003
表１によれば、適正記録パワーでデータを記録した場合には、第１または第２情報記録層Ｌ０，Ｌ１に対してジッタ特性に影響を及ぼさない一方、適正記録パワーより２０％ほど高い記録パワーでデータを記録する場合には、既記録の情報記録層のＯＰＣ領域に影響を及ぼしてジッタ特性が悪化する。また、２０％より高い記録パワーで記録を行う場合には、他の情報記録層のジッタ特性がさらに悪くなるということを予想できる。
【０００７】
したがって、第１及び第２  ＯＰＣ領域１１１，１２１が第１及び第２情報記録層Ｌ０，Ｌ１で同一半径範囲に位置すれば、第１及び第２  ＯＰＣ領域１１１，１２１のうち何れか一つを使用できなくなる場合が発生する。
【０００８】
また、第１及び第２  ＯＰＣ領域１１１，１２１のうち何れか一つの記録状態によって残りの他のＯＰＣ領域での記録特性が変わりうる。例えば、図１Ｂに示したように、第１  ＯＰＣ領域１１１の一部１１１ａにデータが記録され、残りの部分１１１ｂには、データが記録されないとき、第２  ＯＰＣ領域１２１での記録特性が前記記録された部分１１１ａに対向する部分と記録されていない部分１１１ｂに対向する部分とでそれぞれ異なって現れる。言い換えれば、記録された部分１１１ａと記録されていない部分１１１ｂとのレーザ光の透過率が異なるため、第２  ＯＰＣ領域１２１での記録特性が部分的に変わりうる。
【０００９】
前述したように、第１及び第２  ＯＰＣ領域が情報記録媒体の同一半径範囲に位置する場合、各ＯＰＣ領域の機能が円滑に行われないこともある。
【発明の開示】
【発明が解決しようとする課題】
【００１０】
本発明が解決しようとする技術的課題は、多層の情報記録層にそれぞれ備えられるＯＰＣ領域で最適のパワー制御を行うとき、他の情報記録層に及ぼす影響を最小化させるための情報記録媒体、情報記録媒体のＯＰＣ領域間の干渉を最小化するための記録方法及び光記録／再生装置を提供することである。
【課題を解決するための手段】
【００１１】
前記課題を達成するために、本発明による情報記録媒体は、複数個の情報記録層を有する情報記録媒体であって、前記各情報記録層は、それぞれ最適の記録条件を得るためのＯＰＣ領域を備え、前記各情報記録層で各ＯＰＣ領域は、隣接する情報記録層にあるＯＰＣ領域が異なる半径範囲内に位置し、前記情報記録層のＯＰＣ領域に隣接して保留領域が位置することを特徴とする。
【００１２】
前記課題を達成するために、本発明による情報記録媒体は、複数個の情報記録層を有する情報記録媒体であって、前記各情報記録層は、それぞれ最適の記録条件を得るためのＯＰＣ領域を備え、前記各情報記録層で各ＯＰＣ領域は、光が入射する方向から奇数番目の情報記録層のＯＰＣ領域とこれに隣接する偶数番目の情報記録層のＯＰＣ領域とが所定部分接しつつ交互に配置されたことを特徴とする。
【００１３】
前記課題を達成するために、本発明による情報記録媒体は、複数個の情報記録層を有する情報記録媒体であって、前記各情報記録層は、それぞれ最適の記録条件を得るためのＯＰＣ領域を備え、前記各情報記録層で各ＯＰＣ領域は、光が入射する方向から奇数番目の情報記録層のＯＰＣ領域とこれに隣接する偶数番目の情報記録層のＯＰＣ領域とが前記情報記録媒体で同じ半径範囲に位置し、前記奇数番目の情報記録層のＯＰＣ領域とこれに隣接する偶数番目の情報記録層のＯＰＣ領域との使用順序が相互逆であることを特徴とする。
【００１４】
前記課題を達成するために、本発明による情報記録媒体の記録方法は、情報記録媒体で第１情報記録層の第１  ＯＰＣ領域と第２情報記録層の第２  ＯＰＣ領域との間の干渉を最小化させるために、（ａ）前記第１及び第２  ＯＰＣ領域が前記第１及び第２情報記録層で互いに部分的に重畳されるように配置するステップと、（ｂ）前記第１及び第２  ＯＰＣ領域でデータを相互逆方向に記録して干渉を最小化させるステップとを含むことを特徴とする。
【００１５】
前記情報記録媒体の記録方法において、前記第１及び第２  ＯＰＣ領域の記録ステップは、前記第１  ＯＰＣ領域で前記第２  ＯＰＣ領域の使われていない部分に対応する第１領域にデータを記録するステップと、前記第２  ＯＰＣ領域で前記第１  ＯＰＣ領域の使われていない部分に対応する第２領域にデータを記録するステップと、を含むことが望ましい。
【００１６】
前記課題を達成するために、本発明による光記録／再生装置は、情報記録媒体に対してデータを記録及び再生する光ピックアップと、前記情報記録媒体に対してデータを記録及び再生するように前記光ピックアップを制御し、最適の記録パワーを決定する制御部とを備え、前記情報記録媒体は、第１  ＯＰＣ領域と第１制限使用領域とを含む第１情報記録層と、第２  ＯＰＣ領域と第２制限使用領域とを含む第２情報記録層とを備え、前記第１  ＯＰＣ領域は、前記第２  ＯＰＣ領域及び第２制限使用領域と部分的に重畳され、前記第２  ＯＰＣ領域は、前記第１  ＯＰＣ領域及び第１制限使用領域と部分的に重畳され、前記制御部は、前記第１及び第２  ＯＰＣ領域のうち何れか一つの領域の使われていない部分に対応する他の一つの領域の一部で、前記光ピックアップによって記録あるいは再生されるデータによって前記最適記録パワーを決定することを特徴とする。
【００１７】
前記光記録／再生装置において、第１及び第２  ＯＰＣ領域で、データは、前記制御部によって相互逆方向に記録されることが望ましい。
【発明を実施するための最良の形態】
【００１８】
以下、本発明の望ましい実施形態による情報記録媒体について、添付された図面を参照して説明する。
【００１９】
本発明の一実施形態による情報記録媒体は、図２を参照するに、少なくとも２層の情報記録層を有し、各情報記録層は、最適のパワーを求めるためのＯＰＣ領域を備え、各情報記録層のＯＰＣ領域は、相互対向しないように異なる半径範囲に配置される。各情報記録層は、ＯＰＣ領域以外に保留領域、及び欠陥管理のためのＤＭＡ領域をさらに備えるか、またはＯＰＣ領域の隣接した位置にマップ領域（図示せず）をさらに備えうる。
【００２０】
図２に示した情報記録媒体は、第１及び第２情報記録層Ｌ０，Ｌ１を備えた場合を例示した図である。第１情報記録層Ｌ０は、第１  ＯＰＣ領域２１１、第１保留領域２１３、及び第１  ＤＭＡ領域２１５を備え、第２情報記録層Ｌ１は、第２保留領域２２１、第２  ＯＰＣ領域２２３、及び第２  ＤＭＡ領域２２５を備える。
【００２１】
各情報記録層Ｌ０，Ｌ１での第１  ＯＰＣ領域２１１と第２  ＯＰＣ領域２２３とは、情報記録媒体の異なる半径範囲で互いに接しないように交互に配置される。具体的に、第２情報記録層Ｌ１で第１  ＯＰＣ領域２１１に対応する領域には、第２予備領域２２１が備えられ、第１情報記録層Ｌ０で第２  ＯＰＣ領域２２３に対応する領域には、第１予備領域２１３が備えられる。
【００２２】
一方、第１情報記録層Ｌ０の第１  ＤＭＡ領域２１５と第２情報記録層Ｌ１の第２  ＤＭＡ領域２２５とは、情報記録媒体の同じ半径範囲に配置される。
【００２３】
図２に示したような構成では、各情報記録層のＯＰＣ領域で使われた領域に対するアドレスがリードイン領域の所定位置に記録される。
【００２４】
図３Ａ及び図３Ｂは、図２に示した情報記録媒体において、第１及び第２情報記録層での記録方向、すなわち、ＯＰＣ領域の使用順序が同じ場合を示す図である。図３Ａは、情報記録媒体のトラック螺旋方向に関係なく、第１及び第２情報記録層Ｌ０，Ｌ１が何れも内周から外周への記録方向を有する例であって、これにより、各情報記録層Ｌ０，Ｌ１のＯＰＣ領域２１１，２２３でも内周から外周への記録方向によってデータを記録する。
【００２５】
一方、図３Ｂは、情報記録媒体のトラック螺旋方向に関係なく、第１及び第２情報記録層Ｌ０，Ｌ１が何れも外周から内周への記録方向を有する例であって、これにより、各情報記録層Ｌ０，Ｌ１のＯＰＣ領域２１１，２２３でも外周から内周への記録方向によってデータを記録する。
【００２６】
図３Ａ及び図３Ｂにおいて、第１及び第２情報記録層Ｌ０，Ｌ１にそれぞれ備えられたＯＰＣ領域及び予備領域の配置順序の先後は互いに変わりうるということが分かる。
【００２７】
図４Ａ及び図４Ｂは、図２に示した情報記録媒体において、第１及び第２情報記録層での記録方向、すなわち、ＯＰＣ領域の使用順序が異なる場合を示す図である。図４Ａは、情報記録媒体のトラック螺旋方向に関係なく、第１情報記録層Ｌ０は、内周から外周、第２情報記録層Ｌ１は、外周から内周への記録方向を有する例である。これにより、第１情報記録層Ｌ０のＯＰＣ領域２１１は、内周から外周への記録方向によってデータを記録し、第２情報記録層Ｌ１のＯＰＣ領域２２３は、外周から内周への記録方向によってデータを記録する。すなわち、第１及び第２情報記録層Ｌ０，Ｌ１で相互同じ半径内に存在するＯＰＣ領域及び予備領域は、逆方向に使われる。
【００２８】
一方、図４Ｂは、情報記録媒体のトラック螺旋方向に関係なく、第１情報記録層Ｌ０は、外周から内周、第２情報記録層Ｌ１は、内周から外周への記録方向を有する例である。これにより、第１情報記録層Ｌ０のＯＰＣ領域２１１は、外周から内周への記録方向によってデータを記録し、第２情報記録層Ｌ１のＯＰＣ領域２２３は、内周から外周への記録方向によってデータを記録する。すなわち、第１及び第２情報記録層Ｌ０，Ｌ１で相互同じ半径内に存在するＯＰＣ領域及び予備領域は、逆方向に使われる。
【００２９】
同様に、図４Ａ及び図４Ｂにおいて、第１及び第２情報記録層Ｌ０，Ｌ１にそれぞれ備えられたＯＰＣ領域及び予備領域の配置順序の先後は、互いに変わりうるということが分かる。
【００３０】
図５Ａ及び図５Ｂは、本発明の第２実施形態による情報記録媒体を示す図であって、各情報記録層において、ＯＰＣ領域が相互重畳される部分を有する場合である。このような構成によれば、使用する可能性の低い予備領域をＯＰＣ領域に比べて小さく割り当てることが望ましい。ＯＰＣ領域が一部分重畳されて配置される場合には、各情報記録層Ｌ０，Ｌ１でＯＰＣ領域が重畳されて使われることを防止するために、各情報記録層Ｌ０，Ｌ１で使われたＯＰＣ領域のアドレスをリードイン領域に記録する。このとき、多様な形式によってＯＰＣ領域のアドレスを記録でき、一例としては、ビットマップ形式を挙げられる。
【００３１】
図５Ａは、第１情報記録層Ｌ０の記録方向が内周から外周、第２情報記録層Ｌ１の記録方向が外周から内周である場合を示し、このとき、第１情報記録層Ｌ０は、第１  ＯＰＣ領域５１１、第１予備領域５１３、及び第１  ＤＭＡ領域５１５を備え、第２情報記録層Ｌ１は、第２予備領域５２１、第２  ＯＰＣ領域５２３、及び第２  ＤＭＡ領域５２５を備える。
【００３２】
各情報記録層Ｌ０，Ｌ１での第１  ＯＰＣ領域５１１と第２  ＯＰＣ領域５２３とは、情報記録媒体の異なる半径範囲で一部重畳される部分を有するように交互に配置される。具体的に、第２情報記録層Ｌ１で第１  ＯＰＣ領域５１１に対応する領域には、第２予備領域５２１と一部の第２  ＯＰＣ領域５２３ａとが備えられ、第１情報記録層Ｌ０で第２  ＯＰＣ領域５２３に対応する領域には、一部の第１  ＯＰＣ領域５１１ａと第１予備領域５１３とが備えられる。
【００３３】
図５Ｂは、第１情報記録層Ｌ０の記録方向が外周から内周、第２情報記録層Ｌ１の記録方向が内周から外周である場合を示し、このとき、第１情報記録層Ｌ０は、第１予備領域５３１、第１  ＯＰＣ領域５３３、及び第１  ＤＭＡ領域５３５を備え、第２情報記録層Ｌ１は、第２  ＯＰＣ領域５４１、第２予備領域５４３、及び第２  ＤＭＡ領域５４５を備える。
【００３４】
各情報記録層Ｌ０，Ｌ１での第１  ＯＰＣ領域５３３と第２  ＯＰＣ領域５４１とは、情報記録媒体の異なる半径範囲で一部重畳される部分を有するように交互に配置される。具体的に、第２情報記録層Ｌ１で第１  ＯＰＣ領域５３３に対応する領域には、一部の第２  ＯＰＣ領域５４１ａと第２予備領域５４３とが備えられ、第１情報記録層Ｌ０で第２  ＯＰＣ領域５４１に対応する領域には、第１予備領域５３１と一部の第１  ＯＰＣ領域５３３ａとが備えられる。
【００３５】
同様に、図５Ａ及び図５Ｂに示したような構成では、各情報記録層のＯＰＣ領域で使われた領域に対するアドレスがリードイン領域の所定位置、例えば、ディスク情報が記録される領域に記録される。
【００３６】
図５に示したような構造の情報記録媒体の各情報記録層Ｌ０，Ｌ１で実際使用可能なＯＰＣ領域は、各情報記録層の使用頻度及び各ＯＰＣ領域で使われた領域についてのアドレス情報によって可変される。
【００３７】
図６は、本発明の第３実施形態による情報記録媒体を示す図であって、第１及び第２情報記録層Ｌ０，Ｌ１でＯＰＣ領域で使われたセクターのアドレスを記録するためのマップ領域がＯＰＣ領域に隣接した位置に備えられる。このように、各情報記録層でマップ領域をＯＰＣ領域に隣接した位置に備えれば、各情報記録層でＯＰＣを行う前にＯＰＣ領域で使用可能な領域をさらに速く探せるので、ＯＰＣを行う時にかかる時間を短縮させうる。
【００３８】
図６において、第１情報記録層Ｌ０は、第１  ＯＰＣ領域６１１、第１マップ領域６１２、第１予備領域６１３及び第１  ＤＭＡ領域６１５を備え、第２情報記録層Ｌ１は、第２予備領域６２１、第２マップ領域６２２、第２  ＯＰＣ領域６２３、及び第２  ＤＭＡ領域６２５を備える。第１及び第２マップ領域６１２，６２２と、第１及び第２  ＤＭＡ領域６１５，６２５とは、情報記録媒体の同じ半径範囲に配置される。
【００３９】
図６に示したような構造の情報記録媒体においても、図３Ａ及び図３Ｂに示したように、各情報記録層Ｌ０，Ｌ１でＯＰＣ領域の記録方向を同一にするか、または図４Ａ及び図４Ｂに示したように、各情報記録層Ｌ０，Ｌ１でＯＰＣ領域の記録方向を異ならして設定できる。
【００４０】
図７は、本発明の第４実施形態による情報記録媒体を示す図であって、各情報記録層Ｌ０，Ｌ１でのＯＰＣ領域７１１，７２３が情報記録媒体の同じ半径範囲に配置され、各情報記録層での記録方向を異ならして設定した場合を示す。また、各情報記録層Ｌ０，Ｌ１は、第１及び第２  ＤＭＡ領域７１５，７２５を備える。図７では、第１情報記録層Ｌ０での記録方向が内周から外周、第２情報記録層Ｌ１での記録方向が外周から内周である例を示したが、その逆である場合にも、同一に適用される。
【００４１】
このとき、各情報記録層Ｌ０，Ｌ１のＯＰＣ領域が情報記録媒体で相互同じ半径範囲に配置される場合には、各情報記録層Ｌ０，Ｌ１でＯＰＣ領域が重畳されて使われることを防止するために、各情報記録層Ｌ０，Ｌ１で使われたＯＰＣ領域のアドレスをリードイン領域に記録する。このように各情報記録層Ｌ０，Ｌ１で各ＯＰＣ領域が情報記録媒体の同じ半径範囲に配置されても記録方向を異ならして設定すれば、各ＯＰＣ領域でのデータ記録時に対面するアドレス‘ａ’までは、各情報記録層のＯＰＣ領域を一定部分使用することが可能になる。
【００４２】
図７に示したような構造の情報記録媒体の各情報記録層Ｌ０，Ｌ１で実際使用可能なＯＰＣ領域は、各情報記録層の使用頻度及び各ＯＰＣ領域で使われた領域についてのアドレス情報によって可変される。このような構造は、小さなサイズに大容量のデータを記録するためのモバイル用情報記録媒体に有用に使われうる。
【００４３】
図８は、本発明の第５実施形態による情報記録媒体を示す図であって、内周及び外周の記録特性が異なりうるという点を考慮して、データ領域８２０の両側に位置するリードイン領域８１０及びリードアウト領域８３０に何れもＯＰＣ領域を配置した図である。第１及び第２情報記録層Ｌ０，Ｌ１において、リードイン領域８１０のＯＰＣ領域８１１，８１７とリードアウト領域８３０のＯＰＣ領域８３３，８３５とを配置する方法として、図２ないし図６に示した構造のうち任意のものを使用できる。
【００４４】
図９は、本発明の第６実施形態による情報記録媒体を示す図であって、図７に示したように、情報記録媒体の相互同じ半径範囲に位置しつつ、記録方向が相互逆であるＯＰＣ領域をリードイン領域９１０及びリードアウト領域９３０に何れも配置した図である。リードイン領域９１０とリードアウト領域９３０とは、データ領域９２０の両側に配置され、データ領域９２０は、第１及び第２情報記録層Ｌ０，Ｌ１に対して第１及び第２データ領域９２１，９２３を備える。
【００４５】
図１０は、図２ないし図９に示した本発明による情報記録媒体が具現される光記録／再生装置の構成を示すブロック図であって、記録／再生部１０００及び制御部１００２を備えてなる。記録／再生部１０００は、制御部１００２から提供されるコマンドによって情報記録媒体１３０の記録及び再生動作を行う。ここで、情報記録媒体１３０は、図２ないし図９に示した複数の実施形態を何れも含み、制御部１００２は、最適の記録パワーを決定し、記録／再生部１０００の記録及び再生動作を制御することによって、情報記録媒体１３０で第１情報記録層の第１  ＯＰＣ領域と第２情報記録層の第２  ＯＰＣ領域との間の干渉を最小化させうる。
【００４６】
図１０を参照するに、記録／再生部１０００は、制御部１００２の制御によって、本実施形態による情報記録媒体であるディスク１３０にデータを記録し、記録されたデータを再生するためにデータを再生する。制御部１００２は、本発明によってデータを所定記録単位ブロックで記録するように記録／再生部１０００を制御するか、または記録／再生部１０００によって再生されたデータを処理して有効なデータを得る。再生は、読み込んだデータをエラー訂正して有効なデータを得ることを意味し、所定単位で行われる。再生が行われる単位を記録単位ブロックに対応して再生単位ブロックという。再生単位ブロックは、少なくとも一つの記録単位ブロックに対応する。
【００４７】
図１１は、図１０に示した光記録／再生装置の細部構成図である。図１１を参照するに、情報記録媒体１３０は、記録／再生部１０００にロードされる。光記録／再生装置は、記録／再生部１０００として光ピックアップ１１００を備える。情報記録媒体１３０は、ピックアップ１１００に装着されている。制御部１００２としてＰＣ  Ｉ／Ｆ（インターフェース）１１０１、ＤＳＰ（デジタル信号処理器）１１０２、ＲＦ  ＡＭＰ（無線周波数増幅器）１１０３、サーボ１１０４及びシステム制御部１１０５を備える。
【００４８】
記録時、ＰＣ  Ｉ／Ｆ  １１０１は、ホスト（図示せず）から記録するデータと共に記録命令を受ける。システム制御部１１０５は、記録に必要な初期化を行う。ＤＳＰ  １１０２は、ＰＣ  Ｉ／Ｆ  １１０１から受けた記録するデータをエラー訂正のためにパリティなどの付加データを添加し、ＥＣＣ（Ｅｒｒｏｒ  Ｃｏｒｒｅｃｔｉｏｎ  ａｎｄ  Ｃｈｅｃｋｉｎｇ）エンコーディングを行って、エラー訂正ブロックであるＥＣＣブロックを生成した後、これを既定の方式で変調する。ここで、ＥＣＣブロックのサイズに未達する量のデータを記録しようとする場合には、有効でないデータをパッディングしてＥＣＣブロックを作る。ピックアップ１１００は、ＲＦ  ＡＭＰ  １１０３から出力されたＲＦ信号を情報記録媒体１３０に記録する。サーボ１１０４は、システム制御部１１０５からサーボ制御に必要な命令を入力されてピックアップ１１００をサーボ制御する。
【００４９】
再生時、ＰＣ  Ｉ／Ｆ  １１０１は、ホスト（図示せず）から再生命令を受ける。システム制御部１１０５は、再生に必要な初期化を行う。ピックアップ１１００は、情報記録媒体１３０にレーザビームを照射し、情報記録媒体１３０から反射されたレーザビームを受光して得られた光信号を出力する。ＲＦ  ＡＭＰ  １１０３は、ピックアップ１１００から出力された光信号をＲＦ信号に変換し、ＲＦ信号から得られた変調されたデータをＤＳＰ  １１０２に提供する一方、ＲＦ信号から得られた制御のためのサーボ信号をサーボ１１０４に提供する。ＤＳＰ  １１０２は、変調されたデータを復調し、ＥＣＣエラー訂正を経て得られたデータを出力する。一部にのみ有効なデータが記録されたＥＣＣブロックの場合、パッディング情報を参照して有効なデータのみを再生する。
【００５０】
一方、サーボ１１０４は、ＲＦ  ＡＭＰ  １１０３から受けたサーボ信号及びシステム制御部１１０５から受けたサーボ制御に必要な命令を受けて、ピックアップ１１００に対するサーボ制御を行う。ＰＣ  Ｉ／Ｆ  １１０１は、ＤＳＰ  １１０２から受けたデータをホストに送る。
【００５１】
前記例の構造は、各情報記録層でのトラック螺旋方向が内周から外周または外周から内周に向かう全ての場合に適用可能である。また、多層の情報記録層を有する情報記録媒体の場合、再生が先行される層がピックアップから最も遠い場合またはピックアップから最も近い場合に、何れも適用可能である。例えば、本発明は、ＣＤ−Ｒ、ＣＤ−ＲＷ、ＤＶＤ＋ＲＷ、ＨＤ−ＤＶＤ、ＢＤ（ブルーレイ）、ＡＯＤ（アドバンストオプティカルディスク）のような情報記録媒体に広く適用できる。
【００５２】
また、前記例では、２層の情報記録層を有するデュアルレイヤ情報記録媒体に対して説明したが、３層以上の情報記録層を有する情報記録媒体の場合にも適用されうる。
【産業上の利用可能性】
【００５３】
本発明によれば、多層の情報記録層を有する情報記録媒体において、各情報記録層のＯＰＣ領域が相互接しないように交互に配置されることによって、各ＯＰＣ領域で最適のパワー制御を行うとき、他の情報記録層にＯＰＣによる影響が及ぼさない。
【００５４】
また、多層の情報記録層を有する情報記録媒体において、各情報記録層のＯＰＣ領域が一定部分重畳されつつ交互に配置され、各情報記録層でＯＰＣ領域の使用順序を異ならして設定することによって、各ＯＰＣ領域で最適のパワー制御を行うとき、他の情報記録層に及ぼす影響を最小化しうる。
【００５５】
また、多層の情報記録層を有する情報記録媒体において、各情報記録層のＯＰＣ領域が情報記録媒体の同じ半径範囲に配置され、各情報記録層でＯＰＣ領域の使用順序を異ならして設定することによって、各ＯＰＣ領域で最適のパワー制御を行うとき、他の情報記録層に及ぼす影響を最小化しうる。
【図面の簡単な説明】
【００５６】
【図１Ａ】従来の情報記録媒体において、リードイン領域の構成を示す図である。
【図１Ｂ】従来の情報記録媒体において、リードイン領域の構成を示す図である。
【図２】本発明の第１実施形態による情報記録媒体を示す図である。
【図３Ａ】図２に示した情報記録媒体において、第１及び第２情報記録層での記録方向が同じである場合を示す図である。
【図３Ｂ】図２に示した情報記録媒体において、第１及び第２情報記録層での記録方向が同じである場合を示す図である。
【図４Ａ】図２に示した情報記録媒体において、第１及び第２情報記録層での記録方向が異なる場合を示す図である。
【図４Ｂ】図２に示した情報記録媒体において、第１及び第２情報記録層での記録方向が異なる場合を示す図である。
【図５Ａ】本発明の第２実施形態による情報記録媒体を示す図である。
【図５Ｂ】本発明の第２実施形態による情報記録媒体を示す図である。
【図６】本発明の第３実施形態による情報記録媒体を示す図である。
【図７】本発明の第４実施形態による情報記録媒体を示す図である。
【図８】本発明の第５実施形態による情報記録媒体を示す図である。
【図９】本発明の第６実施形態による情報記録媒体を示す図である。
【図１０】本発明による情報記録媒体が具現される光記録／再生装置の構成を示すブロック図である。
【図１１】図１０に示した光記録／再生装置の細部構成図である。
【図１Ａ】
2007521607.tif 000004
【図１Ｂ】
2007521607.tif 000005
【図２】
2007521607.tif 000006
【図３Ａ】
2007521607.tif 000007
【図３Ｂ】
2007521607.tif 000008
【図４Ａ】
2007521607.tif 000009
【図４Ｂ】
2007521607.tif 000010
【図５Ａ】
2007521607.tif 000011
【図５Ｂ】
2007521607.tif 000012
【図６】
2007521607.tif 000013
【図７】
2007521607.tif 000014
【図８】
2007521607.tif 000015
【図９】
2007521607.tif 000016
【図１０】
2007521607.tif 000017
【図１１】
2007521607.tif 000018
【国際調査報告】
2007521607.tif 000019
2007521607.tif 000020